(57)【特許請求の範囲】
【請求項１】
上階スラブに取り付けられた吊りボルトと、該吊りボルトの下端に設けられた天井受け部材と、該天井受け部材に縁部が載置されるエアフィルタユニットとを備えたクリーンルームの天井構造において、
前記天井受け部材に照明器具を収納する収納凹部を設け、該収納凹部に前記照明器具を組み込み、前記天井受け部材に前記照明器具に空気を導入する空気導入孔を形成し、前記照明器具は反射笠を備え、該反射笠に前記空気導入孔から流入した空気が通過可能な空気通過孔を形成したことを特徴とするクリーンルームの天井構造。
【請求項２】
上階スラブに取り付けられた吊りボルトと、該吊りボルトの下端に設けられた天井受け部材と、該天井受け部材に縁部が載置されるエアフィルタユニットとを備えたクリーンルームの天井構造において、
前記天井受け部材に収納凹部を設け、該収納凹部に蛍光管を組み込み、蛍光管が組み込まれた収納凹部をなす前記天井受け部材に前記蛍光管に空気を導入する空気導入孔を形成し、前記蛍光管は反射笠を備え、該反射笠に前記空気導入孔から流入した空気が通過可能な空気通過孔を形成し、
前記蛍光管が組み込まれていない前記収納凹部に前記蛍光管の安定器を封入し、前記安定器が封入されたアルミニウム製天井受け部材の下部開口をアルミニウム板からなる閉塞板で閉塞したことを特徴とするクリーンルームの天井構造。
【発明の詳細な説明】
【０００１】
【発明の属する技術分野】
本発明は、クリーンルームの天井構造に関する。
【０００２】
【従来の技術】
従来のこの種のクリーンルームの天井構造としては、図６に示すものが知られている。この天井構造は、上階スラブａに取り付けられた吊りボルトｂを備えたもので、吊りボルトｂの下端には天井受け部材ｃが連結されている。天井受け部材ｃは、上部に天井パネルを兼ねる空気清浄用のエアフィルタユニットｄの縁部が載置され、下部には蛍光灯等の照明器具ｅが突出して取り付けられている。
【０００３】
【発明が解決しようとする課題】
しかしながら、かかる従来のクリーンルームの天井構造においては、天井受け部材ｃの下部に照明器具ｅが突出して取り付けられているので有効階高が低くなり、従って、所定の有効階高を得るために上階スラブａの高さを照明器具ｅの突出寸法分だけ上げて設計する必要が生じて建築コストを低くする妨げになっている。また、上階スラブａを高く設計することによって余分な空気を循環、空調及び清浄化する必要が生じてランニングコストの高騰につながる原因にもなっている。
【０００４】
本発明はかかる不都合を解消するためになされたものであり、有効階高を高くとれるようにして建築コスト及びランニングコストの低減を図ることができるクリーンルームの天井構造を提供することを目的とする。
【０００５】
【課題を解決するための手段】
かかる目的を達成するために、請求項１に係るクリーンルームの天井構造は、上階スラブに取り付けられた吊りボルトと、該吊りボルトの下端に設けられた天井受け部材と、該天井受け部材に縁部が載置されるエアフィルタユニットとを備えたクリーンルームの天井構造において、前記天井受け部材に照明器具を収納する収納凹部を設け、該収納凹部に前記照明器具を組み込み、前記天井受け部材に前記照明器具に空気を導入する空気導入孔を形成し、前記照明器具は反射笠を備え、該反射笠に前記空気導入孔から流入した空気が通過可能な空気通過孔を形成したことを特徴とする。
【０００７】
請求項２に係るクリーンルームの天井構造は、上階スラブに取り付けられた吊りボルトと、該吊りボルトの下端に設けられた天井受け部材と、該天井受け部材に縁部が載置されるエアフィルタユニットとを備えたクリーンルームの天井構造において、前記天井受け部材に収納凹部を設け、該収納凹部に蛍光管を組み込み、蛍光管が組み込まれた収納凹部をなす前記天井受け部材に前記蛍光管に空気を導入する空気導入孔を形成し、前記蛍光管は反射笠を備え、該反射笠に前記空気導入孔から流入した空気が通過可能な空気通過孔を形成し、前記蛍光管が組み込まれていない前記収納凹部に前記蛍光管の安定器を封入し、前記安定器が封入されたアルミニウム製天井受け部材の下部開口をアルミニウム板からなる閉塞板で閉塞したことを特徴とする。
【０００８】
【作用】
請求項１および２の発明では、天井受け部材に蛍光管等の照明器具を収納する収納凹部を設け、該収納凹部に前記照明器具を組み込むことにより、従来に比べて有効階高を高くすることを可能にする。
【０００９】
請求項１および２の発明では、天井受け部材の空気導入孔から照明器具（請求項２では蛍光管）に空気を導入して該照明器具周辺に空気流を形成することにより、照明器具に塵埃等が付着するのを防止すると共に、該空気流を収納凹部の開口から室内に流すようにして天井下方における気流分布の均一化を図ることを可能にする。
【００１０】
請求項１および２の発明では、反射笠を備えた照明器具（請求項２では蛍光管）において、該反射笠に空気通過孔に形成して前記空気導入孔から流入した空気を照明器具に導入することにより、該照明器具周辺に空気流を形成して塵埃等が付着するのを防止すると共に、該空気流を収納凹部の開口から室内に流すようにして天井下方における気流分布の均一化を図ることを可能にする。
請求項２の発明では、さらに、天井受け部材としてアルミニウム製のものを用いて、アルミニウム製天井受け部材の収納凹部に安定器を封入するとともに、前記安定器が封入されたアルミニウム製天井受け部材の下部開口をアルミニウム板からなる閉塞板で閉塞することにより、例えばインバータバラスト方式のように電磁波を発生するタイプの場合に、安定器から発生する電磁波ノイズを電磁シールドしてノイズをなくすことを可能にする。
【００１１】
【発明の実施の形態】
以下、本発明の実施の形態の一例を図１〜図４を参照して説明する。図１は本発明の実施の形態の一例であるクリーンルームの天井構造を説明するための説明的概略図、図２は図１の矢印▲２▼方向から見た天井見上げ図、図３は図２の▲３▼−▲３▼線断面図、図４は図２の▲４▼−▲４▼線断面図である。
【００１２】
図１〜図４を参照して構成を説明すると、この天井構造１は、上階スラブ２から所定の間隔で複数垂下された吊りボルト３を備える。吊りボルト３の下端には天井受け部材４が連結されている。天井受け部材４は、例えばアルミニウムの型押出し成形等によって下面が開口された略四角箱状に一体成形されており、これにより、天井受け部材４内に収納凹部５が形成されている。天井受け部材４は、図２に示すように、互いに直交する方向に配置されて井桁状に組み付けられている。
【００１３】
井桁状に組み付けられた天井受け部材４の内で、図２において上下方向（長辺方向）に延びる天井受け部材４ａの収納凹部５にはスリムタイプの高機能型蛍光管（高周波専用ランプ）６が長手方向に沿って一本ずつ複数組み込まれている。図３に示すように、蛍光管６は下方に向けて拡がる反射笠７を備えており、該反射笠７の下端は天井受け部材４の両側板４ｄ，４ｅの下端まで達している。このようにスリムタイプの蛍光管６を使用して照明部分をできるだけ小さくすることにより視覚的な天井の一体感を増すと共に、蛍光管６として高周波専用ランプを採用することにより高輝度化を図っている。
【００１４】
天井受け部材４ａの上板４ｃ中央部と蛍光管６との間の収納凹部５には、配線をコンパクトに纏めるための配線スペース８が設けられている。配線スペース８はアルミニウム板からなる蛍光管取付板９によって閉塞されており、これにより収納凹部５内に配線が封入されるようになっている。また、天井受け部材４ａの上板４ｃの上面両側縁には、天井パネルを兼ねる空気清浄用のエアフィルタユニット１０の両側縁部１０ａ，１０ｂが気密用パッキン１１を介して載置されている。
【００１５】
上板４ｃのエアフィルタユニット１０の載置部にはエアフィルタユニット１０を通過した清浄空気を収納凹部５内に導入する空気導入孔１２が形成され、反射笠７には空気導入孔１２から導入された清浄空気を蛍光管６周辺に導入する空気通過孔１３が形成されており、これにより、蛍光管６の周辺に空気流を形成して該蛍光管６に塵埃等が付着するのを防止すると共に、該空気流を天井受け部材４ａの下部開口から室内に流すようにして天井下方における気流分布の均一化を図っている。
【００１６】
井桁状に組み付けられた天井受け部材４の内で、図２において左右方向（短辺方向）に延びる天井受け部材４ｂの収納凹部５には、図４に示すように、インバータ安定器１４が組み込まれている。天井受け部材４ｂの下部開口はアルミニウム板からなる閉塞板１５で閉塞されており、これにより、安定器１４が収納凹部内に封入されている。また、天井受け部材４ｂの上板４ｃ中央部と安定器１４との間の収納凹部５には、配線をコンパクトに纏めるための配線スペース８が設けられている。配線スペース８はアルミニウム板からなる安定器取付板１６によって閉塞されており、これにより収納凹部５に配線が封入されるようになっている。そして、このようにアルミニウム製の天井受け部材４ａ，４ｂの収納凹部５に配線を封入すると共に、天井受け部材４ｂの収納凹部５に安定器１４を封入することにより、インバータ安定器１４及びこれに接続される配線から発生する電磁波ノイズを電磁シールドするようにしている。天井受け部材４ｂの上板４ｃの上面両側縁には、上述したエアフィルタユニット１０の両端縁部１０ｃ，１０ｄが気密用パッキン１１を介して載置されている。
【００１７】
かかるクリーンルームの天井構造１においては、天井受け部材４ａに蛍光管６を収納する収納凹部５を形成して、該収納凹部５に蛍光管６を組み込むことにより、従来のように天井受け部材の下面に蛍光管を突出させて取り付ける場合に比べて、該蛍光管の突出寸法分だけ有効階高を高くすることができるので、上階スラブ２の高さを上げなくても所定の有効階高を得ることができ、この結果、上階スラブ２の高さを上げる設計をする必要がなくなって建築コストを低くすることができると共に、余分な空気を循環、空調及び清浄化する必要もなくなってランニングコストを低く押さえることができる。
【００１８】
また、空気導入孔１２から収納凹部５内に導入した清浄空気を反射笠７の空気通過孔１３を介して蛍光管６に導入することにより、該蛍光管６の周辺に空気流を形成して塵埃等が付着するのを防止するようにしているので、クリーンルームの清浄度の向上を図ることができ、しかも、該空気流を天井受け部材４ａの下部開口から室内に流すようにしているめ、天井下方における気流分布の均一化を図ることができる。
【００１９】
更に、アルミニウム製の天井受け部材４ａ，４ｂの収納凹部５に配線を封入すると共に、天井受け部材４ｂの収納凹部５に安定器１４を封入してインバータ安定器１４及びこれに接続される配線から発生する電磁波ノイズを電磁シールドしているので、この実施の形態のようにインバータバラスト方式の照明器具を用いた場合においてもノイズの発生を良好に防止することができる。
【００２０】
更に、天井受け部材４ａの収納凹部５内に蛍光管６を収納するようにしているので、蛍光管６は外部に露出することがなく、従って、蛍光管６の明るさを低下させる保護カバー等を取り付けなくて済み、クリーンルームをより明るくすることができる。
更に、天井受け部材４ａ，４ｂの上板４ｃにエアフィルタユニット１０の縁部を載置するようにしているので、エアフィルタユニット８の荷重を良好に受け止めることができる。
【００２１】
尚、上記実施の形態では、空気導入孔１２を、エアフィルタユニット１０の載置部である天井受け部材４ａの上板４ｃに形成した場合を例に採ったが、これに限定されず、例えば図５に示すように、天井受け部材４ｃの両側板４ｄ，４ｅ上部に空気導入孔１２を形成するようにしてもよい。このようにすると、天井受け部材４ａの上板ｃに空気導入孔１２を形成するスペースを確保しなくて済むため、結果として天井受け部材４ａの幅を狭くすることができ、コンパクトな天井受け部材４ａとすることができる。
【００２２】
また、上記実施の形態では、天井受け部材４ａの収納凹部５にスリムタイプの蛍光管６を長手方向に沿って１本ずつ組み込んだ場合を例に採ったが、これに限定されず、スリムタイプの蛍光管６を長手方向に沿って２本以上ずつ組み込んでもよく、また、スリムタイプではなくこれより大径の通常の蛍光管を組み込んでもよい。
【００２３】
更に、上記実施の形態では、照明器具として蛍光管６を例に採ったが、これに代えて、白熱灯等その他の照明器具を天井受け部材４ａの収納凹部５に組み込んでもよい。
更に、上記実施の形態では、天井受け部材４をアルミニウムの型押し材で形成しているが、これに限定されず、天井受け部材４をステンレス鋼板その他の金属板に曲げ加工を施して形成してもよく、また、耐熱性、強度性及び耐蝕性等に優れた合成樹脂で一体に成形したものを用いてもよい。
【００２４】
更に、上記実施の形態では、天井受け部材４を互いに直交する方向に配置して井桁状に組み付け、長辺側の天井受け部材４ａの収納凹部５に蛍光管６、短辺側の天井受け部材４ｂの収納凹部５に安定器１４をそれぞれ組み付けた場合を例に採ったが、これに限定されず、例えば、長辺側の天井受け部材４ａの収納凹部５に蛍光管６及び安定器１４の両方を組み付けるようにしてもよい。
【００２５】
【発明の効果】
上記の説明から明らかなように、請求項１および２の発明では、天井受け部材に照明器具（請求項２では蛍光管）を収納する収納凹部を設けて、該収納凹部に照明器具を組み込むことにより、従来のように天井受け部材の下面に蛍光管を突出させて取り付ける場合に比べて、該蛍光管の突出寸法分だけ有効階高を高くすることができるので、上階スラブの高さを上げなくても所定の有効階高を得ることができ、この結果、上階スラブの高さを上げる設計をする必要がなくなって建築コストを低くすることができると共に、余分な空気を循環、空調及び清浄化する必要もなくなってランニングコストを低く押さえることができるという効果が得られる。
【００２６】
また、天井受け部材の収納凹部内に照明器具を収納するようにしているので、照明器具は外部に露出することがなく、従って、照明器具の明るさを低下させる保護カバー等を取り付けなくて済み、クリーンルームをより明るくすることができるという効果が得られる。
【００２７】
請求項１および２の発明では、空気導入孔から収納凹部内に導入した清浄空気を照明器具（請求項２では蛍光管）に導入することにより、該照明器具の周辺に空気流を形成して塵埃等が付着するのを防止するようにしているので、クリーンルームの清浄度の向上を図ることができると共に、該空気流を収納凹部の開口から室内に流出させることにより天井下方における気流分布の均一化を図ることができるという効果が得られる。
【００２８】
請求項１および２の発明では、照明器具（請求項２では蛍光管）が反射笠を備え、前記空気導入孔から収納凹部内に流入した清浄空気を該反射笠の空気通過孔を介して照明器具に導入することにより、該照明器具の周辺に空気流を形成して塵埃等が付着するのを防止するようにしているので、クリーンルームの清浄度の向上を図ることができると共に、該空気流を収納凹部の開口から室内に流出させることにより天井下方における気流分布の均一化を図ることができるという効果が得られる。
請求項２の発明では、さらに、アルミニウム製天井受け部材の収納凹部に安定器を封入するとともに、前記安定器が封入されたアルミニウム製天井受け部材の下部開口をアルミニウム板からなる閉塞板で閉塞することにより、該安定器から発生する電磁波ノイズを電磁シールドしているので、インバータバラスト方式の照明器具を用いた場合においてもノイズの発生を良好に防止することができるという効果が得られる。
【図面の簡単な説明】
【図１】本発明の実施の形態の一例であるクリーンルームの天井構造を説明するための説明的概略図である。
【図２】図１の矢印▲２▼方向から見た天井見上げ図である。
【図３】図２の▲３▼−▲３▼線断面図である。
【図４】図２の▲４▼−▲４▼線断面図である。
【図５】空気導入孔を天井受け部材の両側部に形成した例を説明するための説明図である。
【図６】従来のクリーンルームの天井構造を説明するための説明的概略図である。
【符号の説明】
１…天井構造
２…上階スラブ
３…吊りボルト
４…天井受け部材
５…収納凹部
６…蛍光管（照明器具）
７…反射笠
１０…エアフィルタユニット
１２…空気導入孔
１３…空気通過孔
１４…安定器（照明器具）
【図１】
0003562602.tif 000002
【図２】
0003562602.tif 000003
【図３】
0003562602.tif 000004
【図４】
0003562602.tif 000005
【図５】
0003562602.tif 000006
【図６】
0003562602.tif 000007